(57)【要約】【課題】団体内のメンバーが共有情報の更新処理を行う際に、他の団体内のメンバーから許可を得ることでセキュリティの高い共有情報管理装置を提供する。【解決手段】センターシステム１の比較器１３が、データベース１１内の個人ＩＤ及びパスワードと、登録用端末３１から入力された個人ＩＤ及びパスワードと、が一致した場合に登録用端末３１から仮の共有情報が入力され、共有情報の更新許可を行う携帯電話機４１〜４４が選択される。センターシステム１は、該選択された携帯電話機４１〜４４に対して、仮の共有情報と共に共有情報更新の許可要求が発信される。携帯電話機４１〜４４は該許可要求に対する返信を行い、センターシステム１は、該返信内容の許可要求に応じて、データベース１１内の共有情報を仮共有情報に更新する。さらに、団体の全メンバーの携帯電話機４１〜４４に対し、共有情報が更新された旨を通知する。そして、更新料金が課金手段１７により加算される。【選択図】        図１
2004171407.tif 000002
【特許請求の範囲】
【請求項１】
ネットワークを介して特定の共有の情報を管理する共有情報管理システムにおいて共有情報の管理を行う共有情報管理装置であって、
前記共有情報を格納する格納手段と、
送信者を識別する識別情報を受信する受信手段と、
前記受信手段により受信した識別情報の認証を行う認証手段と、
前記認証手段により識別情報が認証された際に共有情報を受信する共有情報受信手段と、
前記共有情報受信手段により受信した共有情報の登録を行うか否かの登録許可要求を前記共有情報の属する端末に送信する登録許可要求手段と、
前記登録許可要求手段により送信した登録許可要求に対し、前記端末から登録許可の返信がある場合に前記受信した共有情報を前記格納手段に登録する登録手段と、
を有することを特徴とする共有情報管理装置。
【請求項２】
前記登録許可要求手段は、
前記共有情報の登録許可要求に対する返信を送信する前記端末を選択する選択手段を有することを特徴とする請求項１記載の共有情報管理装置。
【請求項３】
前記登録手段は、
前記格納手段に予め格納された共有情報を、前記受信した共有情報を基に更新する更新手段を有することを特徴とする請求項１または２記載の共有情報管理装置。
【請求項４】
前記認証手段により識別情報が認証された際に共有情報の参照要求を受信し、前記格納手段に格納された共有情報を前記参照要求先の端末に送信する参照手段を有することを特徴とする請求項１から３の何れか１項に記載の共有情報管理装置。
【請求項５】
前記登録手段または前記更新手段により前記共有情報の登録または更新をした際、並びに、前記参照手段により前記共有情報を参照要求先の端末に送信した際に、登録、更新、または参照料金を課金する課金手段を有することを特徴とする請求項１から４の何れか１項に記載の共有情報管理装置。
【請求項６】
前記登録手段または前記更新手段により前記共有情報の登録または更新をした際に、前記共有情報の属する端末に登録または更新が行われた旨を通知する通知手段を有することを特徴とする請求項１から５の何れか１項に記載の共有情報管理装置。
【請求項７】
特定の共有情報を管理する共有情報管理装置と、前記共有情報を前記共有情報管理装置に送信する送信者端末と、前記共有情報の属する共有者端末と、がネットワークを介して接続されて前記共有情報の管理を行う共有情報管理システムであって、
前記送信者端末は、
個人を識別する識別情報または共有情報を送信する送信手段を有し、
前記共有情報管理装置は、
前記送信手段により送信される識別情報の認証を行う認証手段と、
前記認証手段により識別情報の認証がされた際に前記送信手段により送信される共有情報を受信する共有情報受信手段と、
前記共有情報受信手段により受信した共有情報の登録を行うか否かの登録許可要求を前記共有者端末に送信する登録許可要求手段と、
前記登録許可要求手段により送信した登録許可要求に対し、前記共有者端末から登録許可の返信がある場合に前記受信した共有情報を登録する登録手段と、
を有し、
前記共有者端末は、
前記登録許可要求手段により送信された登録許可要求を受信する許可要求受信手段と、
前記許可要求受信手段により受信した登録許可要求に応じて共有情報の登録許可の可否を前記共有情報管理装置に送信する登録可否送信手段と、
を有することを特徴とする共有情報管理システム。
【請求項８】
前記送信者端末は、
前記登録許可要求を送信する共有者端末を選択する選択手段を有することを特徴とする請求項７記載の共有情報管理システム。
【請求項９】
前記共有情報管理装置は、
前記登録許可要求手段により送信した登録許可要求に対し、前記共有者端末から登録許可の返信がある場合に、予め登録された共有情報を基に更新する更新手段を有することを特徴とする請求項７または８記載の共有情報管理システム。
【請求項１０】
前記送信者端末は、
共有情報の参照要求を前記共有情報管理装置に送信する参照要求送信手段を有し、
前記共有情報管理装置は、
前記認証手段により識別情報の認証がされた際に前記参照要求送信手段により送信された参照要求のある共有情報を前記送信者端末に送信する参照送信手段と、
を有することを特徴とする請求項７から９の何れか１項に記載の共有情報管理システム。
【請求項１１】
前記共有情報管理装置は、
前記登録手段または前記更新手段により前記共有情報を登録または更新した際、並びに、前記参照要求送信手段により前記共有情報を送信した際に、共有情報の登録、更新、または参照料金を課金する課金手段を有することを特徴とする請求項７から１０の何れか１項に記載の共有情報管理システム。
【請求項１２】
前記共有情報管理装置は、
前記登録手段または前記更新手段により前記共有情報を登録または更新した際に、前記送信者端末及び前記共有者端末に登録または更新が行われた旨を通知する通知手段を有することを特徴とする請求項７から１１の何れか１項に記載の共有情報管理システム。
【請求項１３】
前記共有情報管理装置は、
前記送信者端末から共有情報の初期登録をする際に、前記送信者端末に前記識別情報を付与する識別情報発生手段を有することを特徴とする請求項７から１２の何れか１項に記載の共有情報管理システム。
【請求項１４】
特定の共有情報を管理する共有情報管理装置と、前記共有情報を前記共有情報管理装置に送信する送信者端末と、前記共有情報の属する共有者端末と、がネットワークを介して接続されたシステムにおいて前記共有情報の管理を行う共有情報管理方法であって、
前記送信者端末において、
個人を識別する識別情報または共有情報を送信する送信工程を行い、
前記共有情報管理装置において、
前記送信工程により送信された識別情報の認証を行う認証工程と、
前記認証工程により識別情報の認証がされた際に前記送信工程により送信された共有情報を受信する共有情報受信工程と、
前記共有情報受信工程により受信した共有情報の登録を行うか否かの登録許可要求を前記共有者端末に送信する登録許可要求工程と、
前記登録許可要求工程により送信した登録許可要求に対し、前記共有者端末から登録許可の返信がある場合に前記受信した共有情報を登録する登録工程と、
を行い、
前記共有者端末において、
前記登録許可要求工程により送信された登録許可要求を受信する許可要求受信工程と、
前記許可要求受信工程により受信した登録許可要求に応じて共有情報の登録許可の可否を前記共有情報管理装置に送信する登録可否送信工程と、
を行うことを特徴とする共有情報管理方法。
【請求項１５】
前記送信者端末において、
前記登録許可要求を送信する共有者端末を選択する選択工程を行うことを特徴とする請求項１４記載の共有情報管理方法。
【請求項１６】
前記共有情報管理装置において、
前記登録許可要求工程により送信した登録許可要求に対し、前記共有者端末から登録許可の返信がある場合に、予め登録された共有情報を基に更新する更新工程を行うことを特徴とする請求項１４または１５記載の共有情報管理方法。
【請求項１７】
前記送信者端末において、
共有情報の参照要求を前記共有情報管理装置に送信する参照要求送信工程を行い、
前記共有情報管理装置において、
前記認証工程により識別情報の認証がされた際に前記参照要求送信工程により送信された参照要求のある共有情報を前記送信者端末に送信する参照送信工程と、
を行うことを特徴とする請求項１４から１６の何れか１項に記載の共有情報管理方法。
【請求項１８】
前記共有情報管理装置において、
前記登録工程または前記更新工程により前記共有情報を登録または更新した際、並びに、前記参照要求送信工程により前記共有情報を送信した際に、共有情報の登録、更新、または参照料金を課金する課金工程を行うことを特徴とする請求項１４から１７の何れか１項に記載の共有情報管理方法。
【請求項１９】
前記共有情報管理装置において、
前記登録工程または前記更新工程により前記共有情報を登録または更新した際に、前記送信者端末及び前記共有者端末に登録または更新が行われた旨を通知する通知工程を行うことを特徴とする請求項１４から１８の何れか１項に記載の共有情報管理方法。
【請求項２０】
前記共有情報管理装置において、
前記送信者端末から共有情報の初期登録をする際に、前記送信者端末に前記識別情報を付与する識別情報発生工程を行うことを特徴とする請求項１４から１９の何れか１項に記載の共有情報管理方法。
【請求項２１】
ネットワークを介して特定の共有の情報を管理する共有情報管理システムにおいて共有情報の管理を行う共有情報管理プログラムであって、
前記共有情報管理システムにおいて、
ネットワークを介して送信者を識別する識別情報を受信する受信処理と、
前記受信処理により受信した識別情報の認証を行う認証処理と、
前記認証処理により識別情報が認証された際に共有情報を受信する共有情報受信処理と、
前記共有情報受信処理により受信した共有情報の登録を行うか否かの登録許可要求を前記共有情報の属する端末に送信する登録許可要求処理と、
前記登録許可要求処理により送信した登録許可要求に対し、前記端末から登録許可の返信がある場合に前記共有情報受信処理により受信した共有情報を登録する登録処理と、
を実行させることを特徴とする共有情報管理プログラム。
【請求項２２】
前記登録許可要求処理で送信する端末は、フラグを用いて選択し、該フラグの値を基に、前記共有情報の属する端末から特定の端末を選択する、または、前記共有情報の属する全ての端末を選択することを特徴とする請求項２１記載の共有情報管理プログラム。
【請求項２３】
前記登録処理は、
前記共有情報管理システムに予め格納された共有情報を、前記共有情報受信処理により受信した共有情報を基に更新することを特徴とする請求項２１または２２記載の共有情報管理プログラム。
【請求項２４】
前記認証処理により識別情報が認証された際に共有情報の参照要求を受信し、前記共有情報管理システムに格納された共有情報を前記参照要求先の端末に送信する参照処理を実行させることを特徴とする請求項２１から２３の何れか１項に記載の共有情報管理プログラム。
【請求項２５】
前記登録処理により共有情報の登録または更新をした際、並びに、前記参照処理により前記共有情報を前記参照要求先の端末に送信した際に、登録、更新、または参照料金を課金する課金処理を実行させることを特徴とする請求項２１から２４の何れか１項に記載の共有情報管理プログラム。
【請求項２６】
前記登録処理により共有情報の登録または更新をした際に、前記共有情報の属する端末に登録または更新が行われた旨を通知する通知処理を実行させることを特徴とする請求項２１から２５の何れか１項に記載の共有情報管理プログラム。
【発明の詳細な説明】
【０００１】
【発明の属する技術分野】
本発明は、ネットワークを介して団体が共有する情報の登録、更新、参照を行う共有情報管理装置、共有情報管理システム、共有情報管理方法及び共有情報管理プログムに関する。
【０００２】
【従来の技術】
従来、家族が不幸にも不慮の事故等に遭遇した場合に、当事者に代わって家族や親戚、または関係者が諸々の手続きを行わねばならない場合があった。諸々の手続きとしては、例えば、保険会社への通知、そして、保険金受取の手続き等があげられる。
しかしながら、加入生命の保険会社名、証券番号、保険契約書類の保管場所や、個人預金の口座番号、通帳の保管場所、印鑑の保管場所、暗証番号等の個人に係わる重要情報は、当事者しか知らない場合が多い。
また、核家族化が進展していることもあり、異世代間の交流が少なくなり前もって知っておくべき両親の重要情報を認識していないことさえありうる。
【０００３】
このため、以下に示す問題があった。
第１の問題として、関係者間で金銭等のトラブルが発生し、家族や親戚の関係、社会との関係まで崩壊することも起こりうる。なお、これらを回避するために重要情報を書き出しておくことが考えられるが、人目に触れる可能性があり、盗難等の犯罪に結びつく虞がある。
第２の問題として、何らかの方法で共有情報を管理している場合でも、共有情報が変更された時に、関係者に速やかに伝達されないことが往々にあり、該緒処理がスムーズに実施されない虞がある。
【０００４】
また、従来において、ネットワーク上に配置されたＷＷＷサーバやディレクトリサーバ、データベースサーバ、ファイルサーバ等の各種情報を保管する情報保管サーバを介して情報の共有が行われている。
該情報の共有を行う場合は、該情報が情報保管サーバに保管された事実や、情報保管サーバ内のデータが更新された事実を認知する手段や、情報保管サーバから受信者が特定の情報を受信した事実を証明する受信通知を受信者側から返送する手段を備えることが必要である。
【０００５】
特に、ファイヤーウォール等によってアクセスや接続プロトコルが制御された情報保管サーバに対する新規保管や更新を受信者側に認知させるために、汎用的かつメンバーごとに一意に定められたメールアドレスを持つメールプロトコルを利用して通知メールを送信する手段が一般的である。
【０００６】
上記技術を改良した従来技術として、送付条件に応じて、送信者が発した情報を共有する共有メンバーに対し、該共有情報の送付に伴う通知を発信し、共有情報自体の重要度や共有メンバーに必要な共有情報の内容に応じて、受信者が適切なタイミングで共有情報を取得できるものがある（特許文献１参照）。
【０００７】
また、多くの人が生前に抵抗感なく遺言を作成でき、死後に相続人に確実に伝達できる遺言サービス方法がある（特許文献２参照）。
【０００８】
【特許文献１】
特開２００１―５３７８５号公報
【特許文献２】
特開２００２−４９７０８号公報
【０００９】
【発明が解決しようとする課題】
しかしながら、特許文献１は、他の情報共有者が気付かないうちに、特定の人物によって共有情報の登録または更新が行われ、共有情報の内容に関してトラブルを起こす虞がある。
その理由として、共有情報の登録または更新が行われた後で、該登録または更新が行われた旨が受信者側に通知されるためである。
【００１０】
また、特許文献２は、遺言情報の登録または更新を行う側の認証情報のみで遺言者を認証し、遺言情報の登録または更新が行われるため、この認証情報を用いて特定の人物により遺言情報の更新が行われる虞があり、遺言情報の内容に関してトラブルを起こす虞がある。
【００１１】
本発明は上記事情に鑑みてなされたものであり、団体内のメンバーが共有情報の登録、更新、参照等の処理を行う際に、他の団体内のメンバーから許可を得ることでセキュリティの高い共有情報管理装置、共有情報管理システム、共有情報管理方法及び共有情報管理プログラムを提供することを目的とする。
【００１２】
【課題を解決するための手段】
かかる目的を達成するために本発明は以下のような特徴を有する。
請求項１記載の発明は、ネットワークを介して特定の共有の情報を管理する共有情報管理システムにおいて共有情報の管理を行う共有情報管理装置であって、共有情報を格納する格納手段と、送信者を識別する識別情報を受信する受信手段と、受信手段により受信した識別情報の認証を行う認証手段と、認証手段により識別情報が認証された際に共有情報を受信する共有情報受信手段と、共有情報受信手段により受信した共有情報の登録を行うか否かの登録許可要求を共有情報の属する端末に送信する登録許可要求手段と、登録許可要求手段により送信した登録許可要求に対し、端末から登録許可の返信がある場合に受信した共有情報を格納手段に登録する登録手段と、を有することを特徴とする。
【００１３】
請求項２記載の発明は、請求項１記載の共有情報管理装置において、登録許可要求手段は、共有情報の登録許可要求に対する返信を送信する端末を選択する選択手段を有することを特徴とする。
【００１４】
請求項３記載の発明は、請求項１または２記載の共有情報管理装置において、登録手段は、格納手段に予め格納された共有情報を、受信した共有情報を基に更新する更新手段を有することを特徴とする。
【００１５】
請求項４記載の発明は、請求項１から３の何れか１項に記載の共有情報管理装置において、認証手段により識別情報が認証された際に共有情報の参照要求を受信し、格納手段に格納された共有情報を参照要求先の端末に送信する参照手段を有することを特徴とする。
【００１６】
請求項５記載の発明は、請求項１から４の何れか１項に記載の共有情報管理装置において、登録手段または更新手段により共有情報の登録または更新をした際、並びに、参照手段により共有情報を参照要求先の端末に送信した際に、登録、更新、または参照料金を課金する課金手段を有することを特徴とする。
【００１７】
請求項６記載の発明は、請求項１から５の何れか１項に記載の共有情報管理装置において、登録手段または更新手段により共有情報の登録または更新をした際に、共有情報の属する端末に登録または更新が行われた旨を通知する通知手段を有することを特徴とする。
【００１８】
請求項７記載の発明は、特定の共有情報を管理する共有情報管理装置と、共有情報を共有情報管理装置に送信する送信者端末と、共有情報の属する共有者端末と、がネットワークを介して接続されて共有情報の管理を行う共有情報管理システムであって、送信者端末は、個人を識別する識別情報または共有情報を送信する送信手段を有し、共有情報管理装置は、送信手段により送信される識別情報の認証を行う認証手段と、認証手段により識別情報の認証がされた際に送信手段により送信される共有情報を受信する共有情報受信手段と、共有情報受信手段により受信した共有情報の登録を行うか否かの登録許可要求を共有者端末に送信する登録許可要求手段と、登録許可要求手段により送信した登録許可要求に対し、共有者端末から登録許可の返信がある場合に受信した共有情報を登録する登録手段と、を有し、共有者端末は、登録許可要求手段により送信された登録許可要求を受信する許可要求受信手段と、許可要求受信手段により受信した登録許可要求に応じて共有情報の登録許可の可否を共有情報管理装置に送信する登録可否送信手段と、を有することを特徴とする。
【００１９】
請求項８記載の発明は、請求項７記載の共有情報管理システムにおいて、送信者端末は、登録許可要求を送信する共有者端末を選択する選択手段を有することを特徴とする。
【００２０】
請求項９記載の発明は、請求項７または８記載の共有情報管理システムにおいて、共有情報管理装置は、登録許可要求手段により送信した登録許可要求に対し、共有者端末から登録許可の返信がある場合に、予め登録された共有情報を基に更新する更新手段を有することを特徴とする。
【００２１】
請求項１０記載の発明は、請求項７から９の何れか１項に記載の共有情報管理システムにおいて、送信者端末は、共有情報の参照要求を共有情報管理装置に送信する参照要求送信手段を有し、共有情報管理装置は、認証手段により識別情報の認証がされた際に参照要求送信手段により送信された参照要求のある共有情報を送信者端末に送信する参照送信手段と、を有することを特徴とする。
【００２２】
請求項１１記載の発明は、請求項７から１０の何れか１項に記載の共有情報管理システムにおいて、共有情報管理装置は、登録手段または更新手段により共有情報を登録または更新した際、並びに、参照要求送信手段により共有情報を送信した際に、共有情報の登録、更新、または参照料金を課金する課金手段を有することを特徴とする。
【００２３】
請求項１２記載の発明は、請求項７から１１の何れか１項に記載の共有情報管理システムにおいて、共有情報管理装置は、登録手段または更新手段により共有情報を登録または更新した際に、送信者端末及び共有者端末に登録または更新が行われた旨を通知する通知手段を有することを特徴とする。
【００２４】
請求項１３記載の発明は、請求項７から１２の何れか１項に記載の共有情報管理システムにおいて、共有情報管理装置は、送信者端末から共有情報の初期登録をする際に、送信者端末に識別情報を付与する識別情報発生手段を有することを特徴とする。
【００２５】
請求項１４記載の発明は、特定の共有情報を管理する共有情報管理装置と、共有情報を共有情報管理装置に送信する送信者端末と、共有情報の属する共有者端末と、がネットワークを介して接続されたシステムにおいて共有情報の管理を行う共有情報管理方法であって、送信者端末において、個人を識別する識別情報または共有情報を送信する送信工程を行い、共有情報管理装置において、送信工程により送信された識別情報の認証を行う認証工程と、認証工程により識別情報の認証がされた際に送信工程により送信された共有情報を受信する共有情報受信工程と、共有情報受信工程により受信した共有情報の登録を行うか否かの登録許可要求を共有者端末に送信する登録許可要求工程と、登録許可要求工程により送信した登録許可要求に対し、共有者端末から登録許可の返信がある場合に受信した共有情報を登録する登録工程と、を行い、共有者端末において、登録許可要求工程により送信された登録許可要求を受信する許可要求受信工程と、許可要求受信工程により受信した登録許可要求に応じて共有情報の登録許可の可否を共有情報管理装置に送信する登録可否送信工程と、を行うことを特徴とする。
【００２６】
請求項１５記載の発明は、請求項１４記載の共有情報管理方法において、送信者端末において、登録許可要求を送信する共有者端末を選択する選択工程を行うことを特徴とする。
【００２７】
請求項１６記載の発明は、請求項１４または１５記載の共有情報管理方法において、共有情報管理装置において、登録許可要求工程により送信した登録許可要求に対し、共有者端末から登録許可の返信がある場合に、予め登録された共有情報を基に更新する更新工程を行うことを特徴とする。
【００２８】
請求項１７記載の発明は、請求項１４から１６の何れか１項に記載の共有情報管理方法において、送信者端末において、共有情報の参照要求を共有情報管理装置に送信する参照要求送信工程を行い、共有情報管理装置において、認証工程により識別情報の認証がされた際に参照要求送信工程により送信された参照要求のある共有情報を送信者端末に送信する参照送信工程と、を行うことを特徴とする。
【００２９】
請求項１８記載の発明は、請求項１４から１７の何れか１項に記載の共有情報管理方法において、共有情報管理装置において、登録工程または更新工程により共有情報を登録または更新した際、並びに、参照要求送信工程により共有情報を送信した際に、共有情報の登録、更新、または参照料金を課金する課金工程を行うことを特徴とする。
【００３０】
請求項１９記載の発明は、請求項１４から１８の何れか１項に記載の共有情報管理方法において、共有情報管理装置において、登録工程または更新工程により共有情報を登録または更新した際に、送信者端末及び共有者端末に登録または更新が行われた旨を通知する通知工程を行うことを特徴とする。
【００３１】
請求項２０記載の発明は、請求項１４から１９の何れか１項に記載の共有情報管理方法において、共有情報管理装置において、送信者端末から共有情報の初期登録をする際に、送信者端末に識別情報を付与する識別情報発生工程を行うことを特徴とする。
【００３２】
請求項２１記載の発明は、ネットワークを介して特定の共有の情報を管理する共有情報管理システムにおいて共有情報の管理を行う共有情報管理プログラムであって、共有情報管理システムにおいて、ネットワークを介して送信者を識別する識別情報を受信する受信処理と、受信処理により受信した識別情報の認証を行う認証処理と、認証処理により識別情報が認証された際に共有情報を受信する共有情報受信処理と、共有情報受信処理により受信した共有情報の登録を行うか否かの登録許可要求を共有情報の属する端末に送信する登録許可要求処理と、登録許可要求処理により送信した登録許可要求に対し、端末から登録許可の返信がある場合に共有情報受信処理により受信した共有情報を登録する登録処理と、を実行させることを特徴とする。
【００３３】
請求項２２記載の発明は、請求項２１記載の共有情報管理プログラムにおいて、登録許可要求処理で送信する端末は、フラグを用いて選択し、該フラグの値を基に、共有情報の属する端末から特定の端末を選択する、または、共有情報の属する全ての端末を選択することを特徴とする。
【００３４】
請求項２３記載の発明は、請求項２１または２２記載の共有情報管理プログラムにおいて、登録処理は、共有情報管理システムに予め格納された共有情報を、共有情報受信処理により受信した共有情報を基に更新することを特徴とする。
【００３５】
請求項２４記載の発明は、請求項２１から２３の何れか１項に記載の共有情報管理プログラムにおいて、認証処理により識別情報が認証された際に共有情報の参照要求を受信し、共有情報管理システムに格納された共有情報を参照要求先の端末に送信する参照処理を実行させることを特徴とする。
【００３６】
請求項２５記載の発明は、請求項２１から２４の何れか１項に記載の共有情報管理プログラムにおいて、登録処理により共有情報の登録または更新をした際、並びに、参照処理により共有情報を参照要求先の端末に送信した際に、登録、更新、または参照料金を課金する課金処理を実行させることを特徴とする。
【００３７】
請求項２６記載の発明は、請求項２１から２５の何れか１項に記載の共有情報管理プログラムにおいて、登録処理により共有情報の登録または更新をした際に、共有情報の属する端末に登録または更新が行われた旨を通知する通知処理を実行させることを特徴とする。
【００３８】
【発明の実施の形態】
（本発明の概要）
まず、図１、図２を参照しながら本発明の概要について説明する。
図１は、本発明にかかる共有情報管理システムの構成を示す概念図であり、図２は、共有情報管理システムの具備するデータベース内の情報構成を示す図である。
本発明は、図１に示すシステム構成を基に、以下に示す共有情報の登録、更新、参照処理を行う。
【００３９】
（共有情報登録）
共有情報の登録処理について説明する。
まず、利用者が登録用端末３１を使用して、団体名、メンバー名を入力すると、センターシステム１の個人ＩＤ発生器１２は、入力されたメンバー名に対応して個人ＩＤを生成し、登録用端末３１を通じて利用者へ通知する。次に、利用者が、登録用端末３１を使用して、各メンバーのパスワードと電話番号、団体内メンバーで共有すべき情報である共有情報の内容を入力すると、該入力した団体名、メンバー名、各メンバーのパスワード、電話番号、共有情報、及び個人ＩＤ発生器１２で発生した個人ＩＤが、センターシステム１のデータベース１１内に格納される。また、共有情報の登録料金が課金手段１７によりデータベース１１内に書き込まれる。
【００４０】
（共有情報更新）
次に、共有情報の更新処理について説明する。
まず、利用者が登録用端末３１を使用して、団体名、個人ＩＤ及びパスワードをセンターシステム１に入力する。次に、センターシステム１の比較器１３は、登録用端末３１から入力された団体名に対応する個人ＩＤ及びパスワードをセンターシステム１のデータベース１１から取得し、該取得した個人ＩＤ及びパスワードと、登録用端末３１から入力された個人ＩＤ及びパスワードと、を比較する。該比較により、データベース１１から取得した個人ＩＤ及びパスワードと、登録用端末３１から入力された個人ＩＤ及びパスワードと、が一致した場合は、登録用端末３１を通じて共有情報の更新許可が利用者に与えられる。そして、利用者が登録用端末３１を使用して仮の共有情報を入力し、さらに、共有情報の更新許可を行うメンバーの選択を指示するフラグをセットする。
ここで、フラグの値が「０」の場合には、データベース１１内の共有情報参照履歴を参照して、登録用端末３１から入力された団体名のメンバーが選択される。例えば、この１年以内に参照した団体内のメンバーが選択される。また、フラグの値が「１」の場合には、登録用端末３１から入力された団体名の全メンバーが選択される。
次に、該選択されたメンバーのデータベース１１内にある電話番号が示す携帯電話機４１〜４４に対して、仮の共有情報と共に共有情報更新の許可要求が、送受信手段１６を介して発信される。該許可要求を受け取った利用者、即ち、メンバーＡ１、Ａ２、Ｂ１、Ｂ２は、携帯電話機４１〜４４から個人ＩＤ及びパスワードをセンターシステム１に入力する。センターシステム１は、携帯電話機４１〜４４から入力された個人ＩＤ及びパスワードと、データベース１１内の個人ＩＤ及びパスワードと、を比較する。該比較により、携帯電話機４１〜４４から入力された個人ＩＤ及びパスワードと、データベース１１内の個人ＩＤ及びパスワードと、が一致した場合は、利用者の携帯電話機に受信した許可要求に対する返信をすることが可能となる。
次に、利用者は携帯電話機４１〜４４がセンターシステム１から受信した共有情報の内容を確認し、該許可要求に対する返信を行う。
センターシステム１は、許可要求に対する返信を利用者の携帯電話機４１〜４４から受信して返信内容を確認する。
ここで、返信内容の許可要求に応じて共有情報の更新が可能となり、データベース１１内の共有情報を仮共有情報によって更新する。
次に、センターシステム１は、データベース１１内に格納されている団体の全メンバーの電話番号が示す携帯電話機４１〜４４に対し、共有情報が更新されたことを、送受信手段１６を介して通知する。即ち、団体に属する全メンバーに対して通知される。そして、更新された共有情報の量等に応じて更新料金が課金手段１７により加算される。
【００４１】
（共有情報参照）
次に、共有情報の参照処理について説明する。
データベース１１に格納された共有情報を参照する際には、利用者端末５１〜５３の何れかを使用して、個人ＩＤ及びパスワードをセンターシステム１に送信する。次に、センターシステム１は、データベース１１に格納されている該団体に対応する個人ＩＤ及びパスワードとの比較を行い、両者が一致した場合にデータベース１１から該団体に関連する共有情報が読み出され、利用者端末５１〜５３の何れかを通じて該利用者に送信される。引き続き、データベース１１内の共有情報を参照した利用者に対応する課金情報が更新される。
【００４２】
このように、団体の共有情報の処理を行う際に、携帯電話機を通じて該団体のメンバーに対して通知されるため、各メンバーはどこにいようとも重要情報の処理が行われる旨を即座に知ることができる。また、各メンバーの指示により、共有情報の処理が可能となり、セキュリティを確保することが可能となる。また、共有情報の処理に伴って利用者毎の課金情報が更新されるため、システムの管理者は、料金請求用のデータを容易に入手することが可能となる。
【００４３】
以下、添付図面を参照しながら本発明にかかる共有情報管理システムについて詳細に説明する。
図１に共有情報管理システムの構成を示す。
共有情報管理システムは、センターシステム１と、登録用端末３１と、携帯電話機４１〜４４と、利用者端末５１〜５３と、がネットワーク５及び６を介して接続された構成をとる。
【００４４】
センターシステム１はサーバ等の情報処理装置であり、データベース１１と、個人ＩＤ発生器１２と、比較器１３と、送受信手段１４、１５、１６と、課金手段１７と、を有して構成される。
【００４５】
データベース１１は、接続線を介して個人ＩＤ発生器１２と、比較器１３と、送受信手段１４、１５、１６と、接続され、以下の処理を行う。
第１の処理として、団体名、メンバー名、個人ＩＤ、パスワード、電話番号、課金情報、共有情報参照履歴、共有情報、仮共有情報及びフラグを保存する（図２参照）。
第２の処理として、登録用端末３１から送受信手段１４を経由して送信された各種情報（団体名、メンバー名、個人ＩＤ、パスワード、電話番号、課金情報、共有情報参照履歴、共有情報、仮共有情報及びフラグ）を格納する。
【００４６】
個人ＩＤ発生器１２は、以下の処理を行う。
第１の処理として、登録用端末３１が送受信手段１４を介して送信したメンバー名に対応して個人ＩＤを発生する。
第２の処理として、送受信手段１４を介して個人ＩＤを登録用端末３１へ送信する。
第３の処理として、個人ＩＤをデータベース１１に格納する。
【００４７】
比較器１３は、以下の処理を行う。
第１の処理として、登録用端末３１が送受信手段１４を介して送信する団体名と、データベース１１内に格納されている団体名と、が一致しているか否かを比較して、その比較結果を登録用端末３１に通知する。
第２の処理として、利用者端末５１〜５３が送受信手段１５を介して送信する個人ＩＤ及びパスワードと、データベース１１内に格納されている個人ＩＤ及びパスワードとが一致しているか否かを比較して、その比較結果を該送信した利用者端末５１〜５３に通知する。
第３の処理として、携帯電話機４１〜４４が送受信手段１６を介して送信した個人ＩＤ及びパスワードと、データベース１１内に格納されている個人ＩＤ及びパスワードとが一致しているか否かを比較して、その比較結果を該送信した携帯電話機４１〜４４に通知する。
【００４８】
送受信手段１４は、データベース１１、個人ＩＤ発生器１２または比較器１３の少なくとも１つを選択し、該選択された回路と登録用端末３１との間で情報の送受信を行う。
送受信手段１５は、データベース１１または比較器１３の何れかを選択し、該選択された回路と利用者端末５１〜５３との間で情報の送受信を行う。この送受信は、ネットワーク５を介して行われる。ネットワーク５は、インターネット等の通信回線である。
送受信手段１６は、データベース１１または比較器１３の何れかを選択し、該選択された回路と携帯電話機４１〜４４との間で情報の送受信を行う。この送受信は、ネットワーク６を介して行われる。ネットワーク６は、携帯電話機用の通信回線である。
課金手段１７は、初期登録時、共有情報更新時または共有情報参照時に、情報量等に応じて利用料金を算出してデータベース１１の課金情報を更新する。
【００４９】
なお、上記構成からなるセンターシステム１に上記機能を実行させるプログラムを入力させることでも同様の処理を実現することが可能である。
【００５０】
登録用端末３１は、パーソナルコンピュータ等の情報処理装置であり、センターシステム１に接続され、初期登録時に団体名、メンバー名、パスワード、電話番号、及び、共有情報を入力する。
また、初期登録時にセンターシステム１から送信された個人ＩＤを受信する。
また、共有情報更新時に団体名、個人ＩＤ、パスワード、共有情報、仮共有情報、及びフラグを入力する。
【００５１】
携帯電話機４１〜４４は、ネットワーク６を介してセンターシステム１に接続され、送受信手段１６との間で情報の送受信を行う。
利用者端末５１〜５３は、パーソナルコンピュータ等の情報処理装置であり、ネットワーク５を介してセンターシステム１に接続され、利用者（各団体のメンバー自身）の属する団体名、利用者自身の個人ＩＤ及びパスワードの情報を入力し、該入力された情報をセンターシステム１へ送信する。
また、センターシステム１から送信される共有情報を受信する。なお、利用者端末５１〜５３は、それぞれ離れた場所に設置されている。
【００５２】
次に、図１〜図６を参照しながら上記構成からなる共有情報管理システムにおける処理動作について詳細に説明する。
まず、データベース１１に、団体名、各団体の構成メンバー名、各メンバーに対応する個人ＩＤ、パスワード、携帯電話機の電話番号、課金情報、共有情報の参照履歴、各団体に属する共有情報、仮の共有情報、共有情報更新の許可者を決定するためのフラグを格納する。
【００５３】
データベース１１の構成は、図２に示すように、団体Ａの構成メンバー名はＡ１とＡ２とで、各メンバーに対応する個人ＩＤは各々ｉｄ０１，ｉｄ０２、パスワードは各々ｐｗ０１，ｐｗ０２、電話番号は各々ｔｅｌ０１，ｔｅｌ０２、課金情報は各々ｃｈａ０１，ｃｈａ０２、共有情報参照履歴は各々年月日１，年月日２であり、団体Ａが共有する共有情報はｉｎｆｏ０１、仮の共有情報は仮ｉｎｆｏ０１、フラグはｆｌｇ０１である。
【００５４】
また、団体Ｂの構成メンバーはＢ１とＢ２とで、各メンバーに対応する個人ＩＤは各々ｉｄ１１，ｉｄ１２、パスワードは各々ｐｗ１１，ｐｗ１２、電話番号は各々ｔｅｌ１１，ｔｅｌ１２、課金情報は各々ｃｈａ１１，ｃｈａ１２、共有情報参照履歴は各々年月日３，年月日４であり、団体Ｂが共有する共有情報はｉｎｆｏ１１、仮の共有情報は仮ｉｎｆｏ１１、フラグはｆｌｇ１１である。
【００５５】
また、団体Ｃの構成メンバーはＣ１とＣ２とＣ３とで、各メンバーに対応する個人ＩＤは各々ｉｄ２１，ｉｄ２２，ｉｄ２３、パスワードは各々ｐｗ２１，ｐｗ２２，ｐｗ２３、電話番号は各々ｔｅｌ２１，ｔｅｌ２２，ｔｅｌ２３、課金情報は各々ｃｈａ２１，ｃｈａ２２，ｃｈａ２３、共有情報参照履歴は各々年月日５，年月日６，年月日７であり、団体Ｃが共有する共有情報はｉｎｆｏ２１、仮の共有情報は仮ｉｎｆｏ２１、フラグはｆｌｇ２１である。
【００５６】
（共有情報の登録処理）
次に、図３を参照しながら、団体名、メンバー名、パスワード、電話番号、及び共有情報の登録処理を説明する。
まず、利用者である団体ＡのメンバーＡ１またはＡ２が登録用端末３１を使用して、団体名「団体Ａ」と、データベース１１に登録するメンバーの名前「Ａ１」と「Ａ２」と、を入力する（ステップＳ１）。次に、比較器１３は、該入力された団体名「団体Ａ」が既にデータベース１１に登録されている団体名と重複しているか否かを確認する（ステップＳ２）。次に、比較器１３で確認した団体名が重複していない場合は（ステップＳ３／ＮＯ）、個人ＩＤ発生器１２は、団体Ａに所属するメンバー名「Ａ１」と「Ａ２」とに対応する個人ＩＤ「ｉｄ０１」と「ｉｄ０２」とを発生し、該発生した個人ＩＤを登録用端末３１に送受信手段１４を介して送信する（ステップＳ４）。これにより、利用者は、団体名の属する各メンバーに対応する個人ＩＤを取得することが可能となる。
次に、利用者は登録用端末３１を使用して、各メンバーのパスワード「ｐｗ０１」、「ｐｗ０２」と、電話番号「ｔｅｌ０１」、「ｔｅｌ０２」とを入力し（ステップＳ５）、引き続き、団体Ａで共有する共有情報「ｉｎｆｏ０１」を入力する（ステップＳ６）。この入力処理により、ステップＳ１で登録用端末３１から入力した該団体名、該メンバー名、ステップＳ５で登録用端末３１から入力した該パスワード、該電話番号、該共有情報及び個人ＩＤ発生器１２で発生した該個人ＩＤがデータベース１１に登録される（ステップＳ７）。該登録が完了すると、課金手段１７は初期登録料金を算出し、該算出した初期登録料金をデータベース１１の課金情報「ｃｈａ０１」、「ｃｈａ０２」に書き込む（ステップＳ８）。
この場合、例えば、同一の初期登録料金が特定団体の全メンバーの課金情報「ｃｈａ０１」、「ｃｈａ０２」に書き込まれる。
【００５７】
このように、共有情報の登録処理は、登録用端末３１から団体名とメンバー名を入力することで、個人ＩＤを取得し、該取得した個人ＩＤと共にデータベース１１に格納すべき情報を登録用端末３１から入力することで、団体名毎の共有情報をデータベース１１内で管理することが可能となる。
【００５８】
同様に、団体ＢのメンバーＢ１またはＢ２が、団体名、メンバー名、パスワード、電話番号、共有情報を登録する場合には、団体名が「団体Ａ」から「団体Ｂ」へ、メンバー名が「Ａ１」と「Ａ２」とから「Ｂ１」と「Ｂ２」とへ、パスワードが「ｐｗ０１」と「ｐｗ０２」とから「ｐｗ１１」と「ｐｗ１２」とへ、電話番号が「ｔｅｌ０１」と「ｔｅｌ０２」とから「ｔｅｌ１１」と「ｔｅｌ１２」とへ、課金情報が「ｃｈａ０１」と「ｃｈａ０２」とから「ｃｈａ０１」と「ｃｈａ０２」とへ、共有情報が「ｉｎｆｏ０１」から「ｉｎｆｏ１１」に代わるのみであり、処理動作は同じである。
【００５９】
（共有情報の更新処理）
次に、図４、図５を参照しながら共有情報の更新処理を説明する。
まず、利用者である団体ＡのメンバーＡ１は、登録用端末３１を使用して、団体名「団体Ａ」と、個人ＩＤ「ｉｄ０１」とパスワード「ｐｗ０１」と、を入力する（ステップＴ１）。該入力された個人ＩＤ「ｉｄ０１」及びパスワード「ｐｗ０１」は、センターシステム１へ送信される。
次に、比較器１３は、登録端末３１から送信された個人ＩＤ「ｉｄ０１」及びパスワード「ｐｗ０１」と、データベース１１内に格納されている団体Ａの各メンバーの個人ＩＤ及びパスワードと、が一致するか否を比較する（ステップＴ２）。これにより、登録用端末３１から入力された個人ＩＤとパスワードとの正当性が確認される。
【００６０】
なお、比較器１３で比較した結果が一致していると判定した場合は（ステップＴ３／ＹＥＳ）、共有情報の更新ができる旨を、送受信手段１４を介して登録用端末３１に送信する。また、比較器１３で比較した結果が一致していないと判定した場合は（ステップＴ３／ＮＯ）、共有情報の更新ができない旨を、送受信手段１４を介して登録用端末３１に送信する。
【００６１】
次に、共有情報の更新ができる旨を受信したメンバーＡ１は、登録用端末３１を使用して、仮の共有情報の内容をデータベース１１の「仮ｉｎｆｏ０１」に入力し（ステップＴ４）、更に、共有情報の更新許可を行うメンバーの選択を指示するためのフラグをセットする（ステップＴ５）。センターシステム１は、登録用端末３１からセットされたフラグの値が「０」か「１」かを判断する（ステップＴ６）。該セットされたフラグの値が「０」の場合は（ステップＴ６／フラグ＝０）、センターシステム１により、データベース１１内の共有情報参照履歴を参照し、団体Ａ内のメンバーが選択される（ステップＴ７）。選択方法としては、１年以内に共有情報「ｉｎｆｏ０１」を参照した団体Ａ内のメンバーが選択される。
また、該セットされたフラグの値が「１」の場合は（ステップＴ６／フラグ＝１）、センターシステム１により、団体Ａ内の全メンバーが選択される（ステップＴ８）。
次に、センターシステム１は、該選択されたメンバーの携帯電話機に対して、該仮共有情報と共有情報更新の許可要求とを送受信手段１６を経由して送信する（ステップＴ９）。
【００６２】
該許可要求を受け取ったメンバーは、携帯電話機を使用して、個人ＩＤ及びパスワードを入力する（ステップＴ１０）。該入力された個人ＩＤ及びパスワードは送受信手段１６を介してセンターシステム１に送信される。
次に、センターシステム１の具備する比較器１３は、携帯電話機から受信した個人ＩＤ及びパスワードと、データベース１１内に格納されている個人ＩＤ及びパスワードとが一致しているか否かを比較する（ステップＴ１１）。センターシステム１は、比較器１３で比較した結果が一致したと判定した場合は（ステップＴ１２／ＹＥＳ）、該許可要求に対する返信が許可されることになり、送受信手段１６を介してその旨を携帯電話機に返信する。返信が許可されたメンバーは、引き続きセンターシステム１から受信した該仮共有情報の内容を確認し、該許可要求に対する返信を携帯電話機から送信する（ステップＴ１３）。
【００６３】
次に、センターシステム１は、該許可要求に対する返信をメンバーの携帯電話機から受信して返信内容を確認し、すべての該返信内容が更新許可を示しているか否かを判定する（ステップＴ１４）。該判定により、共有情報の更新が可能と判定した場合は（ステップＴ１４／ＹＥＳ）、データベース１１内の共有情報が仮共有情報に更新される（ステップＴ１５）。従って、データベース１１内の共有情報「ｉｎｆｏ０１」が仮共有情報「仮ｉｎｆｏ０１」に更新される。
次に、センターシステム１は送受信手段１６により、データベース１１内に格納されている団体Ａに属するメンバーＡ１及びＡ２の連絡先電話番号「ｔｅｌ０１」と「ｔｅｌ０２」とが指示する携帯電話機４１（登録用端末３１）と携帯電話機４２へネットワーク６を介して共有情報が更新された旨が通知される（ステップＴ１６）。従って、利用者及び利用者が属する団体Ａのメンバーは共有情報が更新されたことを認知することが可能となる。次に、共有情報の更新情報量等に応じて更新料金が課金手段１７により算出され、データベース１１の課金情報に加算される（ステップＴ１７）。
【００６４】
このように、共有情報の更新処理を行う場合は、登録用端末３１から入力された個人ＩＤ及びパスワードと、データベース内にある個人ＩＤ及びパスワードと、が一致した場合に、仮の共有情報をデータベース内に入力することが可能となる。また、共有情報が更新される団体に属する他のメンバーの更新許可により、データベース内に入力された仮の共有情報により共有情報を更新することが可能となる。
なお、上記処理動作において、共有情報の更新時に全ての該返信内容が更新許可を示している場合に、共有情報の更新を可能としたが少なくとも１名の更新許可を得ることでも、共有情報の更新を行うように設定することも可能である。これにより、他のメンバーから許可要求に対する返信が遅れる、または、返信がない場合でも、予め設定された更新許可数を他のメンバーから取得することで共有情報の更新が可能となる。
なお、団体ＡのメンバーＡ２が登録用端末３１を使用して共有情報を更新する場合も同様の動作が行われる。また、団体ＢのメンバーＢ１、または、Ｂ２が、登録用端末３１を使用して団体Ｂの共有情報を更新する場合も同様の処理が行われる。
また、データベース１１内にある共有情報に新たな情報を追加する場合も上記更新処理と同様に行うことで実現される。
【００６５】
（共有情報の参照処理）
次に、図６を参照しながら共有情報の参照処理について説明する。
まず、メンバーＡ１が利用者端末５１を使用して、団体名「団体Ａ」、個人ＩＤ「ｉｄ０１」及びパスワード「ｐｗ０１」を入力する（ステップＵ１）。利用者端末５１に入力された団体名、個人ＩＤ及びパスワードは、ネットワーク５を経由してセンターシステム１へ送信される。次に、センターシステム１は比較器１３により、該送信されたメンバーＡ１の個人ＩＤ及びパスワードと、データベース１１に格納されているメンバーＡ１の個人ＩＤ及びパスワードとが一致するか否かが比較される（ステップＵ２）。該比較により、一致したと判定した場合は（ステップＵ３／ＹＥＳ）、団体Ａの共有情報「ｉｎｆｏ０１」がデータベース１１から読み出され、ネットワーク５を経由して、利用者端末５１に送信される（ステップＵ４）。これにより、メンバーＡ１は、所望の共有情報を参照することが可能となる。次に、共有情報が参照されたことにより、情報参照料金が課金手段１７で算出され、データベース１１内のメンバーＡ１用の課金情報「ｃｈａ０１」に加算される（ステップＵ５）。
【００６６】
このように、利用者端末５１から入力した個人ＩＤ及びパスワードと、データベース１１内にある個人ＩＤ及びパスワードと、が一致する場合に、共有情報の参照が可能となる。
なお、共有情報を参照する際に、更新処理と同様な処理を行い、他のメンバーの許可を得ることで、参照するように設定することも可能である。これにより、共有情報の参照時のセキュリティを向上させることが可能となる。
また、団体ＡのメンバーＡ２が利用者端末５３を使用して共有情報を参照する場合も同様の動作が行われる。また、団体ＢのメンバーＢ１、または、Ｂ２が利用者端末５２、または、５３を使用して団体Ｂの共有情報「ｉｎｆｏ１１」を参照する場合も同様の処理が行われる。
【００６７】
なお、本実施の形態は、情報の登録及び更新の操作は、センターシステム１に接続された登録用端末３１から行うとしたが、利用者端末５１〜５３から実施できるようにすることも可能である。また、携帯電話機４１〜４４から実施できるようにすることも可能である。
【００６８】
また、共有情報のみを更新するとしたが、メンバーの追加や修正を実施できるとしてもよい。また、情報更新時の仮共有情報の各メンバーへの送信は全データを想定するとしてもよい。
【００６９】
また、共有情報の更新許可を行うメンバーの選択をデータベース１１内のフラグを用いて行うこととしたが、常に、全メンバーを指定するとしてもよいし、メンバーを直接指定するとしてもよい。
また、団体の代表者を予め設定し、該設定した代表者のみに更新許可要求を送信することとしてもよい。該設定した代表者の更新許可を取得することで、登録、更新、参照が行われるようになる。
また、データベース１１に予め登録されたメンバーから更新許可を行うメンバーを設定し、該設定したメンバーに更新許可要求を送信することとしてもよい。メンバーの設定方法は、上記システムを用いて希望者が申し出ることで設定する。または、団体内で決定することで設定する。または、初期登録時に設定する。
また、センターシステム１にアクセスした順序で更新許可要求を送信するメンバーを指定することも可能である。例えば、データベース１１内の共有情報参照履歴を参照して、最近、センターシステム１にアクセスしたメンバーから順に更新許可要求を送信するメンバーを指定することも可能である。この場合は、指定メンバー数を設定することも可能である。
【００７０】
また、更新許可をメンバーから取得して、登録、更新、参照を可能とする割合を予め設定しておくことも可能である。例えば、更新許可要求を送信したメンバーのうち、一定の割合（例えば、２／３以上）の許可を取得することで、登録、更新、参照が行われるようにする。
【００７１】
なお、本発明にかかる実施の形態は上記実施の形態に限定されるものではなく本発明の要旨に逸脱しない範囲において種々変更実施が可能である。
たとえば、共有情報の登録、更新、参照時に、ＩＣカードを用いることも可能である。この場合は、共有情報の登録時に、ＩＣカード内及びデータベース１１内に、団体ＩＤ、利用者ＩＤ、及びパスワード等の各種情報を登録し、共有情報の更新、参照時に該登録したＩＣカードを用いて認証を行う。認証は、例えば、ＩＣカード内の団体ＩＤ、利用者ＩＤ、及びパスワードと、データベース１１内の団体ＩＤ、利用者ＩＤ、及びパスワードとが一致しているか否かの比較を行う。
【００７２】
【発明の効果】
以上の説明により明らかなように本発明は以下のような効果を奏する。
第１の効果として、登録された利用者が所属する団体に関連する共有情報を確実に参照することが可能となる。一方、登録されていない者や登録された利用者であっても属する団体が異なる者は、該共有情報を参照できない。
従って、共有情報の漏洩がない。
【００７３】
第２の効果として、利用者端末がネットワーク経由で接続されていれば、利用者はどこからでも所望の共有情報を参照することが可能となる。
【００７４】
第３の効果として、登録された共有情報が更新された場合には、関連する団体に属する全メンバーに該共有情報が更新されたことが携帯電話機経由で通知されるため、各メンバーは速やかに変更された該共有情報を参照することが可能となる。
【００７５】
第４の効果として、利用者は、所望の情報を確実にかつ速やかに参照することが可能となる。これにより、該共有情報が関連する、例えば、預金や生命保険の諸手続き等を確実に且つ速やかに行うことができる。
また、これに伴う家族、親戚、及び、関係者間のトラブルを回避することができる。
【００７６】
第５の効果として、共有情報が登録、更新、参照された場合に、取り扱われた情報量、保存期間等に応じて、課金処理が行われるため、システム運用者は利用毎に利用料金を管理でき、利用料金を請求することが可能となる。
【００７７】
第６の効果として、共有情報を更新する場合、正式な登録の前にメンバーは、仮の共有情報で内容確認を行うことが可能となる。
即ち、事前にメンバーの更新許可を得ることができるので、登録された共有情報について後のトラブルを回避することができる。
【図面の簡単な説明】
【図１】本発明にかかる共有情報管理システムの構成を示すブロック図である。
【図２】データベース内で管理する情報を示す構成図である。
【図３】本発明にかかる共有情報管理システムにおける共有情報の登録処理を示すフローチャートである。
【図４】本発明にかかる共有情報管理システムにおける共有情報の更新処理を示す第１のフローチャートである。
【図５】本発明にかかる共有情報管理システムにおける共有情報の更新処理を示す第２のフローチャートである。
【図６】本発明にかかる共有情報管理システムにおける共有情報の参照処理を示すフローチャートである。
【符号の説明】
１  センターシステム
５、６  ネットワーク
１１  データベース
１２  個人ＩＤ発生器
１３  比較器
１４、１５、１６  送受信手段
１７  課金手段
３１  登録用端末
４１、４２、４３、４４  携帯電話機
５１、５２、５３  利用者端末
【図１】
2004171407.tif 000003
【図２】
2004171407.tif 000004
【図３】
2004171407.tif 000005
【図４】
2004171407.tif 000006
【図５】
2004171407.tif 000007
【図６】
2004171407.tif 000008